(57)【要約】【課題】バッテリにより動作する携帯用機器に搭載される放送受信装置であって、携帯用機器の長時間の使用を可能とする放送受信装置を提供すること。【解決手段】静止判定部１１１は、動画復号部１０６から出力される再生画像が静止しているか否かを判定し、その判定結果を制御部１０２に出力し、電池残量検出部１１０は、携帯用機器に搭載されたバッテリの電池残量を検出し、電池残量を示す値を制御部１０２に出力し、制御部１０２は、電池残量検出部１１０からの電池残量が閾値未満であり、かつ、静止判定部１１１からの判定結果が「静止」である場合、ワンセグ放送データおよび地上デジタル放送データのうちワンセグ放送データを選択して低画質コンテンツ処理部に出力するとともに、高画質コンテンツ処理部の動作を停止させる。【選択図】図１
2010206715.tif 000002
【特許請求の範囲】
【請求項１】
充電式の電池により動作する携帯用機器に搭載される放送受信装置であって、
高画質コンテンツおよび低画質コンテンツを受信する受信手段と、
前記高画質コンテンツを視聴または録画するための処理を行う高画質コンテンツ処理手段と、
前記低画質コンテンツを視聴または録画するための処理を行う低画質コンテンツ処理手段と、
前記電池の電池残量を検出する電池残量検出手段と、
前記高画質コンテンツの静止判定を行う判定手段と、
前記電池残量と前記判定手段での判定結果とに基づいて、前記高画質コンテンツまたは前記低画質コンテンツのいずれか一方を選択し、前記低画質コンテンツが選択された場合に、前記高画質コンテンツ処理手段の動作を停止させる制御手段と、
を有する放送受信装置。
【請求項２】
前記携帯用機器が充電状態にあるか否かを検出する充電検出手段、をさらに有し、
前記制御手段は、前記電池残量、前記判定手段での判定結果および前記充電検出手段での検出結果に基づいて、前記高画質コンテンツまたは前記低画質コンテンツのいずれか一方を選択する、
請求項１記載の放送受信装置。
【請求項３】
前記高画質コンテンツ処理手段は、
前記高画質コンテンツを復号して復号画像を得る復号手段と、
前記復号画像を、前記高画質コンテンツの符号化時とは異なるパラメータで再符号化する再符号化手段と、を有する、
請求項１記載の放送受信装置。
【発明の詳細な説明】
【技術分野】
【０００１】
本発明は、テレビ放送を受信する放送受信装置に関するものであり、特に充電式の電池（バッテリ）により動作する携帯用機器に搭載される放送受信装置に関するものである。
【背景技術】
【０００２】
近年、放送のデジタル化が進み、一般の家庭で視聴するテレビ放送もデジタル放送へと置き換わりつつある。このデジタル放送は、地上デジタル放送と呼ばれており、その運用に関する放送規格は社団法人電波産業会（ARIB）により定められている。ARIBでは、この地上デジタル放送の帯域の一部を使う、携帯電話端末や小型ポータブル受信機などの携帯用機器向けの放送サービスも規定している。この放送サービスは、１セグメント部分受信サービスとして規定されており、一般的には「ワンセグ放送」という呼称で親しまれている。
【０００３】
地上デジタル放送では、家庭用テレビでの受信が想定されており、非常に高画質なハイビジョン番組の放送が行われている。ハイビジョン番組の画像サイズは、横１９２０画素（または１４４０画素）、縦１０８０画素という非常に大きなものであるため、ハイビジョンの番組はデータ量が大きく、そのまま送信することはできない。そこで、極力画質を損なわずにデータ量を削減するために、画像符号化技術が使用される。ARIBでは、標準規格ARIB STD-B24「デジタル放送におけるデータ放送符号化方式と伝送方式」において、画像符号化技術として、ISO/IEC 13818-2規格であるMPEG-2ビデオ符号化方式の使用を認めている。この画像符号化技術を用いることにより、フレームレート：６０フィールド/秒、ビットレート：１０メガビット/秒以上という極めて高画質な番組放送が可能となっている。
【０００４】
一方、ワンセグ放送では携帯用機器での受信を想定しており、その運用については、ARIB TR-B14「地上デジタルテレビジョン放送運用規定」において規定されている。また、画像圧縮技術として、ISO/IEC 14496-10規格であるMPEG-4 AVCの使用が認められている。ワンセグ放送では画像サイズは横３２０画素、縦２４０画素（または１８０画素）、フレームレート：最大１５フレーム毎秒、ビットレート：２００kbps前後であり、ワンセグ放送は小型ディスプレイでの視聴であれば十分に実用的である。
【０００５】
また、ワンセグ放送を受信できる携帯用機器の普及はかなり進んでいる。また、携帯用機器に搭載されるデバイスの性能も飛躍的に向上しているため、将来的には携帯用機器でありながら、地上デジタル放送の受信が可能な機器が出現すると考えられる。
【０００６】
前述の通り、地上デジタル放送の番組は、画像サイズも大きく、フレームレートおよびビットレートも高い。このため、地上デジタル放送の番組を視聴するには、受信データをMPEG-2ビデオ符号化方式で復号する必要があるので非常に多くの処理量を必要とする。
【０００７】
さらに、地上デジタル放送の番組を録画する場合、受信データをそのまま携帯用機器内の記録媒体に記録すると、携帯用機器では記録媒体の容量が限られているために、録画時間が短くなってしまう。そこで、一旦復号して再度符号化する（トランスコード）ことによりデータ量を小さくして記録することが考えられる。この場合、視聴の時と比べ、再度符号化するという処理が追加となるために、さらに多くの処理量が必要となる。
【０００８】
一方、ワンセグ放送では、画像サイズおよびフレームレートが小さいため、番組を視聴するための処理量は、地上デジタル放送と比較してかなり小さい。また、同様の理由により、ワンセグ放送の番組を録画する際には、トランスコードすることなく受信データをそのまま記録媒体に記録しても、地上デジタル放送の番組の録画のような、記録媒体の容量に関する問題は発生しにくい。
【０００９】
一般的に、携帯用機器は充電式の電池（バッテリ）により動作をするため、前述のように地上デジタル放送の番組の視聴または録画のように多くの処理量を必要とする機能を実現するためには携帯用機器の長時間の使用が可能となるような配慮が必要である。
【００１０】
そこで、携帯用機器において地上デジタル放送とワンセグ放送の両方を受信可能としておき、これらを適応的に切替えて受信することが考えられる。
【００１１】
ここで、従来技術として、電波の受信状況に応じて地上デジタル放送とワンセグ放送とを切替えて受信するものがある（特許文献１参照）。
【特許文献１】特開２００５−２２３５４９号公報
【発明の開示】
【発明が解決しようとする課題】
【００１２】
しかしながら、上記従来技術は電波の受信状況に応じて切替えを行うものであるため、電波の受信状況が良い時間が長くなるほど地上デジタル放送の受信時間が長くなってしまう。よって、上記従来技術によれば、電波の受信状況が良い時間が長くなると携帯用機器の長時間の使用が困難になってしまう。
【００１３】
本発明は、かかる点に鑑みてなされたものであり、充電式の電池（バッテリ）により動作する携帯用機器に搭載される放送受信装置であって、携帯用機器の長時間の使用を可能とする放送受信装置を提供することを目的とする。
【課題を解決するための手段】
【００１４】
本発明の放送受信装置は、充電式の電池により動作する携帯用機器に搭載される放送受信装置であって、高画質コンテンツおよび低画質コンテンツを受信する受信手段と、前記高画質コンテンツを視聴または録画するための処理を行う高画質コンテンツ処理手段と、前記低画質コンテンツを視聴または録画するための処理を行う低画質コンテンツ処理手段と、前記電池の電池残量を検出する電池残量検出手段と、前記高画質コンテンツの静止判定を行う判定手段と、前記電池残量と前記判定手段での判定結果とに基づいて、前記高画質コンテンツまたは前記低画質コンテンツのいずれか一方を選択し、前記低画質コンテンツが選択された場合に、前記高画質コンテンツ処理手段の動作を停止させる制御手段と、を有する構成を採る。
【発明の効果】
【００１５】
本発明によれば、放送受信装置を搭載した携帯用機器の長時間の使用を可能としつつ、かつ、視聴の妨げにならずに切替えを行うことができる。
【発明を実施するための最良の形態】
【００１６】
以下、本発明の実施の形態について、添付図面を参照して詳細に説明する。
【００１７】
（実施の形態１）
本実施の形態に係る放送受信装置１００の構成を図１に示す。この放送受信装置１００は、充電式の電池（バッテリ）により動作する携帯用機器に搭載され、その充電式の電池により動作するものである。
【００１８】
放送受信装置１００において、受信部１０１は、アンテナを介して放送波を受信して制御部１０２に出力する。この放送波には、高画質コンテンツである地上デジタル放送データと低画質コンテンツであるワンセグ放送データとが含まれている。
【００１９】
低画質コンテンツ処理部は、多重分離部１０３および動画復号部１０４により構成され、ワンセグ放送データを視聴するための処理を行う。多重分離部１０３は、ワンセグ放送データから符号化画像データを抽出して動画復号部１０４に出力する。動画復号部１０４は、入力された符号化画像データを復号して再生画像を生成し、再生画像をスイッチ１０７に出力する。
【００２０】
高画質コンテンツ処理部は、多重分離部１０５および動画復号部１０６により構成され、地上デジタル放送データを視聴するための処理を行う。多重分離部１０５は、地上デジタル放送データから符号化画像データを抽出して動画復号部１０６に出力する。動画復号部１０６は、入力された符号化画像データを復号して再生画像を生成し、再生画像をスイッチ１０７に出力する。
【００２１】
静止判定部１１１は、動画復号部１０６から出力される再生画像が静止しているか否かを判定し、その判定結果を制御部１０２に出力する。静止判定の判定方法としては、例えば、現在の再生画像と１フレーム前の再生画像との１画素ごとの差分の絶対値の累積値を算出し、この累積値が閾値未満の場合は画像が静止していると判定する方法が挙げられる。但し、静止判定の判定方法はこの方法に限らない。
【００２２】
電池残量検出部１１０は、携帯用機器に搭載されたバッテリの電池残量を検出し、電池残量を示す値を制御部１０２に出力する。
【００２３】
制御部１０２は、電池残量検出部１１０からの電池残量が閾値未満であり、かつ、静止判定部１１１からの判定結果が「静止」である場合、ワンセグ放送データおよび地上デジタル放送データのうちワンセグ放送データを選択して低画質コンテンツ処理部に出力するとともに、高画質コンテンツ処理部の動作を停止させる。以降は、電池残量がある閾値以上になるまで、低画質コンテンツの選択を継続する。
【００２４】
一方、電池残量検出部１１０からの電池残量が閾値以上であるか、または、閾値未満だが静止判定部１１１からの判定結果が「静止以外」の場合は、ワンセグ放送データおよび地上デジタル放送データのうち地上デジタル放送データを選択して高画質コンテンツ処理部に出力するとともに、低画質コンテンツ処理部の動作を停止させる。
【００２５】
また、制御部１０２は、ワンセグ放送データを選択している場合は、スイッチ１０７に対して、低画質コンテンツ処理部で復号された再生画像を画像サイズ変更部１０８に出力するよう制御する。一方、制御部１０２は、地上デジタル放送データを選択している場合は、スイッチ１０７に対して、高画質コンテンツ処理部で復号された再生画像を画像サイズ変更部１０８に出力するよう制御する。
【００２６】
画像サイズ変更部１０８は、スイッチ１０７から出力された再生画像の画像サイズを、表示用の画像サイズに変換して表示部１０９に出力する。
【００２７】
表示部１０９はディスプレイ等で構成され、画像サイズが変更された画像を表示する。
【００２８】
このように、本実施の形態によれば、地上デジタル放送の視聴中に電池残量が閾値未満になった場合に、動画の動きがない静止シーンにおいて地上デジタル放送データからワンセグ放送データに切替えるとともに、ワンセグ放送データの視聴中は地上デジタル放送データの視聴に必要となる機能の動作を停止させるため、携帯用機器の電力消費量を抑えることができる。よって、本実施の形態によれば、放送データの視聴時間を長くすることができるとともに、放送受信装置１００を搭載した携帯用機器の長時間の使用を可能とすることができる。
【００２９】
また、本実施の形態によれば、地上デジタル放送の画像の静止タイミングがワンセグ放送データへの切替えタイミングとなるため、番組の間に１０〜３０分間隔で挿入されるコマーシャル中に他の番組に切替えるという従来技術（特開平７−１８４１３２号公報参照）に比べ、ワンセグ放送データへの切替えが頻繁に行われるようになり、その結果、携帯用機器の電力消費量をさらに抑えることができる。また、本実施の形態によれば、地上デジタル放送の画像が静止シーンにあるときに、ワンセグ放送データに切替わるため、地上デジタル放送の視聴を妨げることなくワンセグ放送データの視聴を行うことができる。
【００３０】
（実施の形態２）
本実施の形態に係る放送受信装置２００の構成を図２に示す。なお、図２において図１（実施の形態１）と同一の構成部には同一符号を付し説明を省略する。
【００３１】
放送受信装置２００において、充電状態検出部２０１は、放送受信装置２００が搭載される携帯用機器が充電状態にあるか否かを検出し、検出結果を制御部２０２に出力する。
【００３２】
制御部２０２は、充電状態検出部２０１での検出結果が充電状態の場合、電池残量検出部１１０で検出された電池残量にかかわらず、地上デジタル放送データを選択し低画質コンテンツ処理部の動作を停止させるとともに、スイッチ１０７に対して、高画質コンテンツ処理部で復号された再生画像を画像サイズ変更部１０８に出力するよう制御する。
【００３３】
また、制御部２０２は、充電状態検出部２０１での検出結果が充電状態でない場合は、実施の形態１に記載のような、電池残量および静止判定結果に応じた制御を行う。
【００３４】
このように、本実施の形態によれば、携帯用機器が充電状態にあってバッテリの残量を気にする必要がない場合には常に地上デジタル放送データが選択されるため、放送番組のより快適な視聴が可能となる。
【００３５】
（実施の形態３）
本実施の形態に係る放送受信装置３００の構成を図３に示す。なお、図３において図１（実施の形態１）と同一の構成部には同一符号を付し説明を省略する。
【００３６】
放送受信装置３００において、高画質コンテンツ処理部は、多重分離部１０５、動画復号部１０６、再符号化部３０１および多重化部３０２により構成される。
【００３７】
再符号化部３０１は、動画復号部１０６で復号された再生画像を再符号化する。再符号化では、データ量を小さくしたい場合はビットレートを低く設定して符号化処理を行う。また、再生時の処理負荷を低減することを目的とする場合は、画像サイズを小さくしてから符号化処理を行う。再符号化時におけるビットレート、画像サイズ、フレームレート等のさまざまなパラメータは、用途に応じて適宜設定すればよい。
【００３８】
多重化部３０２は、再符号化されたデータを所定の出力フォーマットに多重化する。多重化データは蓄積媒体３０３に記録される。
【００３９】
つまり、本実施の形態に係る高画質コンテンツ処理部は、地上デジタル放送データを録画するための処理も行う。
【００４０】
また、低画質コンテンツ処理部の動画復号部１０４から出力された再生画像は蓄積媒体３０３に記録される。つまり、本実施の形態に係る低画質コンテンツ処理部は、ワンセグ放送データを録画するための処理も行う。
【００４１】
このように、本実施の形態によれば、視聴のみならず録画においても、放送データの録画時間を長くすることができるとともに、放送受信装置３００を搭載した携帯用機器の長時間の使用を可能とすることができる。
【００４２】
以上、本発明の各実施の形態について説明した。
【００４３】
なお、本発明において、高画質コンテンツは地上デジタル放送データに限られず、また、低画質コンテンツはワンセグ放送データに限られない。例えば、パーソナルコンピュータを用いた動画のストリーミング再生を提供するサービスにおいて、高画質または低画質をユーザーが選択し、その選択に応じて配信される高画質コンテンツおよび低画質コンテンツなどを挙げることができる。
【産業上の利用可能性】
【００４４】
本発明の放送受信装置は、充電式の電池（バッテリ）により動作する、携帯電話端末やポータブルのＴＶ受信装置等の携帯用機器に有用である。
【図面の簡単な説明】
【００４５】
【図１】本発明の実施の形態１に係る放送受信装置の構成を示すブロック図
【図２】本発明の実施の形態２に係る放送受信装置の構成を示すブロック図
【図３】本発明の実施の形態３に係る放送受信装置の構成を示すブロック図
【符号の説明】
【００４６】
１０１  受信部
１０２，２０２  制御部
１０３  多重分離部
１０４  動画復号部
１０５  多重分離部
１０６  動画復号部
１０７  スイッチ
１０８  画像サイズ変更部
１０９  表示部
２０１  充電状態検出部
３０１  再符号化部
３０２  多重化部
３０３  蓄積媒体
【図１】
2010206715.tif 000003
【図２】
2010206715.tif 000004
【図３】
2010206715.tif 000005